【手続補正書】
【提出日】平成18年11月10日(2006.11.10)
【手続補正１】
【補正対象書類名】特許請求の範囲
【補正対象項目名】全文
【補正方法】変更
【補正の内容】
【特許請求の範囲】
【請求項１】
互いに向かい合う第１コア及び第２コアと、これらコアにそれぞれ設けられる２つの電磁コイルと、前記第１コアと前記第２コアとの間に配置されるアーマチャと、前記第２コアを通過するように該アーマチャから延びるアーマチャステムと、該アーマチャステムの移動に連動するバルブとを備え、前記電磁コイルへの通電量を制御することにより前記第１コアと前記第２コアとの間で前記アーマチャを駆動し、該駆動にともなう前記アーマチャステムの弁軸方向への移動を通じて前記バルブの開閉を行う電磁駆動弁であって、
前記アーマチャよりも前記バルブ側に前記アーマチャステムを軸受けするアーマチャステムガイドが設けられ、
前記アーマチャステムにおける前記バルブ側の端部には第１リテーナが設けられ、前記アーマチャステムと対向する前記バルブのバルブステムの端部には第２リテーナが設けられ、前記第１リテーナと前記第２コアとの間には前記アーマチャステムを前記バルブに向けて付勢する第１コイルスプリングが設けられ、前記第２リテーナの前記バルブ側には前記バルブを前記アーマチャステムに向けて付勢する第２コイルスプリングが設けられ、該第２コイルスプリングの内側には前記第２リテーナの基部が配置され、該第２リテーナの基部の内側には収納空間が設けられ、該収納空間には前記第１リテーナの少なくとも一部が配置され、
前記アーマチャよりも前記第１コア側に前記アーマチャの駆動量を検出するリフト量センサが設けられ、
前記リフト量センサを構成する第１駆動量検出部が前記第１コア内に配置されるとともに、同じく前記リフト量センサを構成して前記アーマチャステムの移動に連動する第２駆動量検出部が前記第１駆動量検出部の内側に配置される
ことを特徴とする電磁駆動弁。
【請求項２】
互いに向かい合う第１コア及び第２コアと、これらコアにそれぞれ設けられる２つの電磁コイルと、前記第１コアと前記第２コアとの間に配置されるアーマチャと、前記第２コアを通過するように該アーマチャから延びるアーマチャステムと、該アーマチャステムの移動に連動するバルブとを備え、前記電磁コイルへの通電量を制御することにより前記第１コアと前記第２コアとの間で前記アーマチャを駆動し、該駆動にともなう前記アーマチャステムの弁軸方向への移動を通じて前記バルブの開閉を行う電磁駆動弁であって、
前記アーマチャよりも前記バルブ側に前記アーマチャステムを軸受けするアーマチャステムガイドが設けられ、
前記アーマチャステムにおける前記バルブ側の端部には第１リテーナが設けられ、前記アーマチャステムと対向する前記バルブのバルブステムの端部には第２リテーナが設けられ、前記第１リテーナと前記第２コアとの間には前記アーマチャステムを前記バルブに向けて付勢する第１コイルスプリングが設けられ、前記第２リテーナの前記バルブ側には前記バルブを前記アーマチャステムに向けて付勢する第２コイルスプリングが設けられ、前記第１コイルスプリングの内側には前記第１リテーナの基部が配置され、該第１リテーナの基部の内側には収納空間が設けられ、該収納空間には前記第２リテーナの少なくとも一部が配置され、
前記アーマチャよりも前記第１コア側に前記アーマチャの駆動量を検出するリフト量センサが設けられ、
前記リフト量センサを構成する第１駆動量検出部が前記第１コア内に配置されるとともに、同じく前記リフト量センサを構成して前記アーマチャステムの移動に連動する第２駆動量検出部が前記第１駆動量検出部の内側に配置される
ことを特徴とする電磁駆動弁。
【請求項３】
請求項１または２に記載の電磁駆動弁において、
前記第２コアに前記アーマチャステムガイドが設けられる
ことを特徴とする電磁駆動弁。
【請求項４】
請求項１〜３のいずれかに記載の電磁駆動弁において、
前記アーマチャよりも前記バルブ側にのみ前記アーマチャステムガイドが設けられる
ことを特徴とする電磁駆動弁。
【請求項５】
互いに向かい合う第１コア及び第２コアと、これらコアにそれぞれ設けられる２つの電磁コイルと、前記第１コアと前記第２コアとの間に配置されるアーマチャと、前記第２コアを通過するように該アーマチャから延びるアーマチャステムと、該アーマチャステムの移動に連動するバルブとを備え、前記電磁コイルへの通電量を制御することにより前記第１コアと前記第２コアとの間で前記アーマチャを駆動し、該駆動にともなう前記アーマチャステムの弁軸方向への移動を通じて前記バルブの開閉を行う電磁駆動弁であって、
前記アーマチャステムにおける前記バルブ側の端部には第１リテーナが設けられ、前記アーマチャステムと対向する前記バルブのバルブステムの端部には第２リテーナが設けられ、前記第１リテーナと前記第２コアとの間には前記アーマチャステムを前記バルブに向けて付勢する第１コイルスプリングが設けられ、前記第２リテーナの前記バルブ側には前記バルブを前記アーマチャステムに向けて付勢する第２コイルスプリングが設けられ、該第２コイルスプリングの内側には前記第２リテーナの基部が配置され、該第２リテーナの基部の内側には収納空間が設けられ、該収納空間には前記第１リテーナの少なくとも一部が配置され、
前記アーマチャよりも前記第１コア側に前記アーマチャの駆動量を検出するリフト量センサが設けられ、
前記リフト量センサを構成する第１駆動量検出部が前記第１コア内に配置されるとともに、同じく前記リフト量センサを構成して前記アーマチャステムの移動に連動する第２駆動量検出部が前記第１駆動量検出部の内側に配置される
ことを特徴とする電磁駆動弁。
【請求項６】
互いに向かい合う第１コア及び第２コアと、これらコアにそれぞれ設けられる２つの電磁コイルと、前記第１コアと前記第２コアとの間に配置されるアーマチャと、前記第２コアを通過するように該アーマチャから延びるアーマチャステムと、該アーマチャステムの移動に連動するバルブとを備え、前記電磁コイルへの通電量を制御することにより前記第１コアと前記第２コアとの間で前記アーマチャを駆動し、該駆動にともなう前記アーマチャステムの弁軸方向への移動を通じて前記バルブの開閉を行う電磁駆動弁であって、
前記アーマチャステムにおける前記バルブ側の端部には第１リテーナが設けられ、前記アーマチャステムと対向する前記バルブのバルブステムの端部には第２リテーナが設けられ、前記第１リテーナと前記第２コアとの間には前記アーマチャステムを前記バルブに向けて付勢する第１コイルスプリングが設けられ、前記第２リテーナの前記バルブ側には前記バルブを前記アーマチャステムに向けて付勢する第２コイルスプリングが設けられ、前記第１コイルスプリングの内側には前記第１リテーナの基部が配置され、該第１リテーナの基部の内側には収納空間が設けられ、該収納空間には前記第２リテーナの少なくとも一部が配置され、
前記アーマチャよりも前記第１コア側に前記アーマチャの駆動量を検出するリフト量センサが設けられ、
前記リフト量センサを構成する第１駆動量検出部が前記第１コア内に配置されるとともに、同じく前記リフト量センサを構成して前記アーマチャステムの移動に連動する第２駆動量検出部が前記第１駆動量検出部の内側に配置される
ことを特徴とする電磁駆動弁。
【請求項７】
請求項１〜６のいずれかに記載の電磁駆動弁において、
前記アーマチャステムと前記バルブとの間にラッシュアジャスタが設けられる
ことを特徴とする電磁駆動弁。
【請求項８】
請求項７に記載の電磁駆動弁において、
前記ラッシュアジャスタが前記収納空間に配置される
ことを特徴とする電磁駆動弁。
【請求項９】
互いに向かい合う第１コア及び第２コアと、これらコアにそれぞれ設けられる２つの電磁コイルと、前記第１コアと前記第２コアとの間に配置されるアーマチャと、前記第２コアを通過するように該アーマチャから延びるアーマチャステムと、該アーマチャステムの移動に連動するバルブとを備え、前記電磁コイルへの通電量を制御することにより前記第１コアと前記第２コアとの間で前記アーマチャを駆動し、該駆動にともなう前記アーマチャステムの弁軸方向への移動を通じて前記バルブの開閉を行う電磁駆動弁であって、
前記アーマチャステムにおける前記バルブ側の端部には第１リテーナが設けられ、前記アーマチャステムと対向する前記バルブのバルブステムの端部には第２リテーナが設けられ、前記第１リテーナと前記第２コアとの間には前記アーマチャステムを前記バルブに向けて付勢する第１コイルスプリングが設けられ、前記第２リテーナの前記バルブ側には前記バルブを前記アーマチャステムに向けて付勢する第２コイルスプリングが設けられ、前記第１コイルスプリングの内側には前記第１リテーナの基部が配置され、該第１リテーナの基部の内側には第１収納空間が設けられ、前記第２コイルスプリングの内側には前記第２リテーナの基部が配置され、該第２リテーナの基部の内側には第２収納空間が設けられ、前記第１リテーナと前記第２リテーナとの間には前記第１収納空間及び前記第２収納空間にまたがりラッシュアジャスタが配置され、
前記アーマチャよりも前記第１コア側に前記アーマチャの駆動量を検出するリフト量センサが設けられ、
前記リフト量センサを構成する第１駆動量検出部が前記第１コア内に配置されるとともに、同じく前記リフト量センサを構成して前記アーマチャステムの移動に連動する第２駆動量検出部が前記第１駆動量検出部の内側に配置される
ことを特徴とする電磁駆動弁。
【請求項１０】
請求項７〜９のいずれかに記載の電磁駆動弁において、
前記ラッシュアジャスタは、外部からのオイルの供給を受けなくても作動するように構成されている
ことを特徴とする電磁駆動弁。
【請求項１１】
請求項１０に記載の電磁駆動弁において、
前記ラッシュアジャスタとして、オイル循環型密閉式ラッシュアジャスタとスクイーズ式ラッシュアジャスタと機械式ラッシュアジャスタとのうちのいずれかが設けられる
ことを特徴とする電磁駆動弁。
【請求項１２】
請求項１〜６のいずれかに記載の電磁駆動弁において、
前記バルブの閉弁状態のときに前記アーマチャステムと前記バルブとの間にタペットクリアランスが形成されるように前記アーマチャステム及び前記バルブが配置される
ことを特徴とする電磁駆動弁。
【請求項１３】
請求項１〜１２のいずれかに記載の電磁駆動弁において、
前記アーマチャステムは前記アーマチャから前記第１コア側にも延びるように構成されて、前記リフト量センサの第２駆動量検出部は前記第１コア側に設けられたアーマチャステムに連結される
ことを特徴とする電磁駆動弁。
【請求項１４】
請求項１〜１３のいずれかに記載の電磁駆動弁において、
当該電磁駆動弁は内燃機関に組み付けられるものであり、前記第２コイルスプリングは前記第２リテーナと同内燃機関のシリンダヘッドとの間に設けられる
ことを特徴とする電磁駆動弁。
【手続補正２】
【補正対象書類名】明細書
【補正対象項目名】０００７
【補正方法】変更
【補正の内容】
【０００７】
以下、上記目的を達成するための手段及びその作用効果について記載する。
請求項１に記載の電磁駆動弁は、  互いに向かい合う第１コア及び第２コアと、これらコアにそれぞれ設けられる２つの電磁コイルと、前記第１コアと前記第２コアとの間に配置されるアーマチャと、前記第２コアを通過するように該アーマチャから延びるアーマチャステムと、該アーマチャステムの移動に連動するバルブとを備え、前記電磁コイルへの通電量を制御することにより前記第１コアと前記第２コアとの間で前記アーマチャを駆動し、該駆動にともなう前記アーマチャステムの弁軸方向への移動を通じて前記バルブの開閉を行う電磁駆動弁であって、前記アーマチャよりも前記バルブ側に前記アーマチャステムを軸受けするアーマチャステムガイドが設けられ、前記アーマチャステムにおける前記バルブ側の端部には第１リテーナが設けられ、前記アーマチャステムと対向する前記バルブのバルブステムの端部には第２リテーナが設けられ、前記第１リテーナと前記第２コアとの間には前記アーマチャステムを前記バルブに向けて付勢する第１コイルスプリングが設けられ、前記第２リテーナの前記バルブ側には前記バルブを前記アーマチャステムに向けて付勢する第２コイルスプリングが設けられ、該第２コイルスプリングの内側には前記第２リテーナの基部が配置され、該第２リテーナの基部の内側には収納空間が設けられ、該収納空間には前記第１リテーナの少なくとも一部が配置され、前記アーマチャよりも前記第１コア側に前記アーマチャの駆動量を検出するリフト量センサが設けられ、前記リフト量センサを構成する第１駆動量検出部が前記第１コア内に配置されるとともに、同じく前記リフト量センサを構成して前記アーマチャステムの移動に連動する第２駆動量検出部が前記第１駆動量検出部の内側に配置されることを特徴とする。
請求項２に記載の電磁駆動弁は、互いに向かい合う第１コア及び第２コアと、これらコアにそれぞれ設けられる２つの電磁コイルと、前記第１コアと前記第２コアとの間に配置されるアーマチャと、前記第２コアを通過するように該アーマチャから延びるアーマチャステムと、該アーマチャステムの移動に連動するバルブとを備え、前記電磁コイルへの通電量を制御することにより前記第１コアと前記第２コアとの間で前記アーマチャを駆動し、該駆動にともなう前記アーマチャステムの弁軸方向への移動を通じて前記バルブの開閉を行う電磁駆動弁であって、前記アーマチャよりも前記バルブ側に前記アーマチャステムを軸受けするアーマチャステムガイドが設けられ、前記アーマチャステムにおける前記バルブ側の端部には第１リテーナが設けられ、前記アーマチャステムと対向する前記バルブのバルブステムの端部には第２リテーナが設けられ、前記第１リテーナと前記第２コアとの間には前記アーマチャステムを前記バルブに向けて付勢する第１コイルスプリングが設けられ、前記第２リテーナの前記バルブ側には前記バルブを前記アーマチャステムに向けて付勢する第２コイルスプリングが設けられ、前記第１コイルスプリングの内側には前記第１リテーナの基部が配置され、該第１リテーナの基部の内側には収納空間が設けられ、該収納空間には前記第２リテーナの少なくとも一部が配置され、前記アーマチャよりも前記第１コア側に前記アーマチャの駆動量を検出するリフト量センサが設けられ、前記リフト量センサを構成する第１駆動量検出部が前記第１コア内に配置されるとともに、同じく前記リフト量センサを構成して前記アーマチャステムの移動に連動する第２駆動量検出部が前記第１駆動量検出部の内側に配置されることを特徴とする。
【手続補正３】
【補正対象書類名】明細書
【補正対象項目名】０００８
【補正方法】変更
【補正の内容】
【０００８】
請求項１及び２の電磁駆動弁について、アーマチャステムガイドをバルブ側に設けたことで、アーマチャステムガイドにて確実にアーマチャステムが支持される。このためバルブとは反対側にはブシュ等の軸受け部材は設ける必要がない。例え設けたとしても、アーマチャステムガイドから最大限離す必要はなく、バルブと反対側での取り付け位置の自由度が高い。
【手続補正４】
【補正対象書類名】明細書
【補正対象項目名】０００９
【補正方法】変更
【補正の内容】
【０００９】
したがってリフト量センサ等をバルブ側に近づけて配置することにおいて、ブシュ等の軸受け部材により阻止されにくくすることができる。このため電磁駆動弁において弁軸方向の長大化の抑制を容易にすることができる。
また、アーマチャよりも第１コア側にリフト量センサが設けられることにより、長大化を抑制した配置がブシュ等の軸受け部材に阻止されにくいので、電磁駆動弁において弁軸方向の長大化の抑制を容易にすることができる。また、第１コア内に各駆動量検出部が設けられることにより、長大化を抑制した配置ができる。
また、２つのコイルスプリングが設けられている電磁駆動弁において、請求項１の発明では、第２コイルスプリングの内側に第２リテーナの基部が配置されるとともに、第２リテーナの基部の内側に設けられた収納空間に第１リテーナの少なくとも一部が配置されている一方で、請求項２の発明では、第１コイルスプリングの内側に第１リテーナの基部が配置されるとともに、第１リテーナの基部の内側に設けられた収納空間に第２リテーナの少なくとも一部が配置されている。このように構成することにより、第１リテーナと第２リテーナとが弁軸方向にて単に接しているあるいは完全に分離している場合に比較して、請求項１の電磁駆動弁では第１リテーナが第２リテーナの基部の内側に設けられた収納空間に入れば入るほど、また請求項２の電磁駆動弁では第２リテーナが第１リテーナの基部の内側に設けられた収納空間に入れば入るほど、弁軸方向のサイズを短くできる。このことと、リフト量センサ等をバルブ側に近づけて配置する場合にブシュ等の部材により阻止されにくくすることができることと併せて、電磁駆動弁において弁軸方向の長大化の抑制を一層容易にすることができる。
【手続補正５】
【補正対象書類名】明細書
【補正対象項目名】００１０
【補正方法】変更
【補正の内容】
【００１０】
請求項３に記載の電磁駆動弁は、請求項１または２に記載の電磁駆動弁において、前記第２コアに前記アーマチャステムガイドが設けられることを特徴とする。
このようにアーマチャステムガイドをバルブ側のコアに設けることにより、容易にアーマチャよりもバルブ側にアーマチャステムガイドを設けることができる。
【手続補正６】
【補正対象書類名】明細書
【補正対象項目名】００１１
【補正方法】変更
【補正の内容】
【００１１】
請求項４に記載の電磁駆動弁は、請求項１〜３のいずれかに記載の電磁駆動弁において、前記アーマチャよりも前記バルブ側にのみ前記アーマチャステムガイドが設けられることを特徴とする。すなわち、前記アーマチャに対して前記バルブとは反対側には前記アーマチャステムのための軸受け部材が設けられていないことを特徴とする。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】変更
【補正の内容】
【００２２】
請求項５に記載の電磁駆動弁は、互いに向かい合う第１コア及び第２コアと、これらコアにそれぞれ設けられる２つの電磁コイルと、前記第１コアと前記第２コアとの間に配置されるアーマチャと、前記第２コアを通過するように該アーマチャから延びるアーマチャステムと、該アーマチャステムの移動に連動するバルブとを備え、前記電磁コイルへの通電量を制御することにより前記第１コアと前記第２コアとの間で前記アーマチャを駆動し、該駆動にともなう前記アーマチャステムの弁軸方向への移動を通じて前記バルブの開閉を行う電磁駆動弁であって、前記アーマチャステムにおける前記バルブ側の端部には第１リテーナが設けられ、前記アーマチャステムと対向する前記バルブのバルブステムの端部には第２リテーナが設けられ、前記第１リテーナと前記第２コアとの間には前記アーマチャステムを前記バルブに向けて付勢する第１コイルスプリングが設けられ、前記第２リテーナの前記バルブ側には前記バルブを前記アーマチャステムに向けて付勢する第２コイルスプリングが設けられ、該第２コイルスプリングの内側には前記第２リテーナの基部が配置され、該第２リテーナの基部の内側には収納空間が設けられ、該収納空間には前記第１リテーナの少なくとも一部が配置され、前記アーマチャよりも前記第１コア側に前記アーマチャの駆動量を検出するリフト量センサが設けられ、前記リフト量センサを構成する第１駆動量検出部が前記第１コア内に配置されるとともに、同じく前記リフト量センサを構成して前記アーマチャステムの移動に連動する第２駆動量検出部が前記第１駆動量検出部の内側に配置されることを特徴とする。
【手続補正１７】
【補正対象書類名】明細書
【補正対象項目名】００２３
【補正方法】変更
【補正の内容】
【００２３】
このように２つのコイルスプリングが設けられている電磁駆動弁において、第２コイルスプリングの内側に第２リテーナの基部が配置されている。そして第２リテーナの基部の内側に設けられた収納空間には第１リテーナの少なくとも一部が配置されている。このように構成することにより、第１リテーナと第２リテーナとが弁軸方向にて単に接しているあるいは完全に分離している場合に比較して、第１リテーナが、第２リテーナの基部の内側に設けられた収納空間に入れば入るほど、弁軸方向のサイズを短くできる。このことにより電磁駆動弁において弁軸方向の長大化の抑制を容易にすることができる。
【手続補正１８】
【補正対象書類名】明細書
【補正対象項目名】００２４
【補正方法】変更
【補正の内容】
【００２４】
また、アーマチャよりも第１コア側にリフト量センサが設けられることにより、長大化を抑制した配置がブシュ等の軸受け部材に阻止されにくいので、電磁駆動弁において弁軸方向の長大化の抑制を容易にすることができる。また、第１コア内に各駆動量検出部が設けられることにより、長大化を抑制した配置ができる。
請求項６に記載の電磁駆動弁は、互いに向かい合う第１コア及び第２コアと、これらコアにそれぞれ設けられる２つの電磁コイルと、前記第１コアと前記第２コアとの間に配置されるアーマチャと、前記第２コアを通過するように該アーマチャから延びるアーマチャステムと、該アーマチャステムの移動に連動するバルブとを備え、前記電磁コイルへの通電量を制御することにより前記第１コアと前記第２コアとの間で前記アーマチャを駆動し、該駆動にともなう前記アーマチャステムの弁軸方向への移動を通じて前記バルブの開閉を行う電磁駆動弁であって、前記アーマチャステムにおける前記バルブ側の端部には第１リテーナが設けられ、前記アーマチャステムと対向する前記バルブのバルブステムの端部には第２リテーナが設けられ、前記第１リテーナと前記第２コアとの間には前記アーマチャステムを前記バルブに向けて付勢する第１コイルスプリングが設けられ、前記第２リテーナの前記バルブ側には前記バルブを前記アーマチャステムに向けて付勢する第２コイルスプリングが設けられ、前記第１コイルスプリングの内側には前記第１リテーナの基部が配置され、該第１リテーナの基部の内側には収納空間が設けられ、該収納空間には前記第２リテーナの少なくとも一部が配置され、前記アーマチャよりも前記第１コア側に前記アーマチャの駆動量を検出するリフト量センサが設けられ、前記リフト量センサを構成する第１駆動量検出部が前記第１コア内に配置されるとともに、同じく前記リフト量センサを構成して前記アーマチャステムの移動に連動する第２駆動量検出部が前記第１駆動量検出部の内側に配置されることを特徴とする。
【手続補正１９】
【補正対象書類名】明細書
【補正対象項目名】００２５
【補正方法】変更
【補正の内容】
【００２５】
前述した請求項５とは逆に、第１コイルスプリングの内側に第１リテーナの基部が配置され、この第１リテーナの基部の内側に設けられた収納空間に第２リテーナの少なくとも一部が配置されているようにしても良い。
【手続補正２０】
【補正対象書類名】明細書
【補正対象項目名】００２６
【補正方法】変更
【補正の内容】
【００２６】
このことにより第２リテーナが、第１リテーナの基部の内側に設けられた収納空間に入れば入るほど、弁軸方向のサイズを短くでき、電磁駆動弁において弁軸方向の長大化の抑制を容易にすることができる。
また、アーマチャよりも第１コア側にリフト量センサが設けられることにより、長大化を抑制した配置がブシュ等の軸受け部材に阻止されにくいので、電磁駆動弁において弁軸方向の長大化の抑制を容易にすることができる。また、第１コア内に各駆動量検出部が設けられることにより、長大化を抑制した配置ができる。
【手続補正２１】
【補正対象書類名】明細書
【補正対象項目名】００２７
【補正方法】変更
【補正の内容】
【００２７】
請求項７に記載の電磁駆動弁は、請求項１〜６のいずれかに記載の電磁駆動弁において、前記アーマチャステムと前記バルブとの間にラッシュアジャスタが設けられることを特徴とする。
このようにラッシュアジャスタを介在させることにより、電磁駆動弁においてタペットクリアランスを無くしてアーマチャの簡易な駆動制御を実行してもバルブ駆動時の騒音を低減することができる。
【手続補正２２】
【補正対象書類名】明細書
【補正対象項目名】００２８
【補正方法】変更
【補正の内容】
【００２８】
請求項８に記載の電磁駆動弁は、請求項７に記載の電磁駆動弁において、前記ラッシュアジャスタが前記収納空間に配置されることを特徴とする。
【手続補正２３】
【補正対象書類名】明細書
【補正対象項目名】００２９
【補正方法】変更
【補正の内容】
【００２９】
このようにラッシュアジャスタは、第１リテーナの少なくとも一部あるいは第２リテーナの少なくとも一部と共に収納空間に配置されているので、電磁駆動弁において弁軸方向の長大化の抑制を一層容易にすることができる。
【手続補正２４】
【補正対象書類名】明細書
【補正対象項目名】００３０
【補正方法】変更
【補正の内容】
【００３０】
請求項９に記載の電磁駆動弁は、互いに向かい合う第１コア及び第２コアと、これらコアにそれぞれ設けられる２つの電磁コイルと、前記第１コアと前記第２コアとの間に配置されるアーマチャと、前記第２コアを通過するように該アーマチャから延びるアーマチャステムと、該アーマチャステムの移動に連動するバルブとを備え、前記電磁コイルへの通電量を制御することにより前記第１コアと前記第２コアとの間で前記アーマチャを駆動し、該駆動にともなう前記アーマチャステムの弁軸方向への移動を通じて前記バルブの開閉を行う電磁駆動弁であって、前記アーマチャステムにおける前記バルブ側の端部には第１リテーナが設けられ、前記アーマチャステムと対向する前記バルブのバルブステムの端部には第２リテーナが設けられ、前記第１リテーナと前記第２コアとの間には前記アーマチャステムを前記バルブに向けて付勢する第１コイルスプリングが設けられ、前記第２リテーナの前記バルブ側には前記バルブを前記アーマチャステムに向けて付勢する第２コイルスプリングが設けられ、前記第１コイルスプリングの内側には前記第１リテーナの基部が配置され、該第１リテーナの基部の内側には第１収納空間が設けられ、前記第２コイルスプリングの内側には前記第２リテーナの基部が配置され、該第２リテーナの基部の内側には第２収納空間が設けられ、前記第１リテーナと前記第２リテーナとの間には前記第１収納空間及び前記第２収納空間にまたがりラッシュアジャスタが配置され、前記アーマチャよりも前記第１コア側に前記アーマチャの駆動量を検出するリフト量センサが設けられ、前記リフト量センサを構成する第１駆動量検出部が前記第１コア内に配置されるとともに、同じく前記リフト量センサを構成して前記アーマチャステムの移動に連動する第２駆動量検出部が前記第１駆動量検出部の内側に配置されることを特徴とする。
【手続補正２５】
【補正対象書類名】明細書
【補正対象項目名】００３１
【補正方法】変更
【補正の内容】
【００３１】
このようにラッシュアジャスタを介在させることにより、電磁駆動弁においてタペットクリアランスを無くしてアーマチャの簡易な駆動制御を実行してもバルブ駆動時の騒音を低減することができるとともに、弁軸方向のサイズを短くでき、電磁駆動弁において弁軸方向の長大化の抑制を容易にすることができる。
また、アーマチャよりも第１コア側にリフト量センサが設けられることにより、長大化を抑制した配置がブシュ等の軸受け部材に阻止されにくいので、電磁駆動弁において弁軸方向の長大化の抑制を容易にすることができる。また、第１コア内に各駆動量検出部が設けられることにより、長大化を抑制した配置ができる。
【手続補正２６】
【補正対象書類名】明細書
【補正対象項目名】００３２
【補正方法】変更
【補正の内容】
【００３２】
請求項１０に記載の電磁駆動弁は、請求項７〜９のいずれかに記載の電磁駆動弁において、前記ラッシュアジャスタは、外部からのオイルの供給を受けなくても作動するように構成されていることを特徴とする。
【手続補正２７】
【補正対象書類名】明細書
【補正対象項目名】００３４
【補正方法】変更
【補正の内容】
【００３４】
請求項１１に記載の電磁駆動弁は、請求項１０に記載の電磁駆動弁において、前記ラッシュアジャスタとして、オイル循環型密閉式ラッシュアジャスタとスクイーズ式ラッシュアジャスタと機械式ラッシュアジャスタとのうちのいずれかが設けられることを特徴とする。
【手続補正２８】
【補正対象書類名】明細書
【補正対象項目名】００３５
【補正方法】変更
【補正の内容】
【００３５】
このように外部からオイルの供給を受けなくても機能可能なラッシュアジャスタとしては、オイル循環型密閉式ラッシュアジャスタ、スクイーズ式ラッシュアジャスタ又は機械式ラッシュアジャスタを挙げることができ、弁軸方向の長大化を抑制できる電磁駆動弁を容易に実現することができる。
請求項１２に記載の電磁駆動弁は、請求項１〜６のいずれかに記載の電磁駆動弁において、前記バルブの閉弁状態のときに前記アーマチャステムと前記バルブとの間にタペットクリアランスが形成されるように前記アーマチャステム及び前記バルブが配置されることを特徴とする。
請求項１３に記載の電磁駆動弁は、請求項１〜１２のいずれかに記載の電磁駆動弁において、前記アーマチャステムは前記アーマチャから前記第１コア側にも延びるように構成されて、前記リフト量センサの第２駆動量検出部は前記第１コア側に設けられたアーマチャステムに連結されることを特徴とする。
請求項１４に記載の電磁駆動弁は、請求項１〜１３のいずれかに記載の電磁駆動弁において、当該電磁駆動弁は内燃機関に組み付けられるものであり、前記第２コイルスプリングは前記第２リテーナと同内燃機関のシリンダヘッドとの間に設けられることを特徴とする。
【手続補正２９】
【補正対象書類名】明細書
【補正対象項目名】００３９
【補正方法】変更
【補正の内容】
【００３９】
この内、上コア２２の貫通孔２２ａにはアーマチャ３０に設けられているアーマチャステム３２の基端側（図１の上方側）が下方から挿入されている。このアーマチャステム３２の基端側の端部には直線変位検出用コア３２ａ（第２駆動量検出部に相当）が取り付けられている。更に上コア２２の貫通孔２２ａにはリフト量センサ３４が取り付けられている。このリフト量センサ３４は上方から貫通孔２２ａ内に直線変位検出用コイル（第１駆動量検出部に相当）３４ａを挿入している。この直線変位検出用コイル３４ａ内にアーマチャステム３２に取り付けられた直線変位検出用コア３２ａが挿入されている。このことによりリフト量センサ３４は貫通孔２２ａ内での直線変位検出用コア３２ａの移動量からアーマチャステム３２の駆動量を検出し、この駆動量からバルブ６のリフト量を検出することができる。
【手続補正３０】
【補正対象書類名】明細書
【補正対象項目名】００７８
【補正方法】変更
【補正の内容】
【００７８】
このような状態で、図１に示したごとく、コネクタ５０を介して制御装置から各コイル５２，５４に駆動電流を出力することにより、アーマチャ３０が弁軸方向で駆動される。アーマチャ３０の駆動力は、アーマチャステム３２からラッシュアジャスタ４８，１４８，２４８，３４８を介してバルブステム６ａに伝達されて、バルブ６の開閉が行われる。そしてこの時のバルブ６のリフト量は、上コア２２の貫通孔２２ａ内に配置された直線変位検出用コイル３４ａ内において直線変位検出用コア３２ａが移動することにより、リフト量センサ３４により検出される。
【手続補正３１】
【補正対象書類名】明細書
【補正対象項目名】００８１
【補正方法】変更
【補正の内容】
【００８１】
このような構成とすることにより、アッパーリテーナ３８とロアリテーナ４４とが弁軸方向にて単に接している、あるいは完全に分離している場合に比較して、アッパーリテーナ３８が、ロアリテーナ４４の基部４４ａの内側に設けられた収納空間４４ｂに入っている分、弁軸方向のサイズを短くできる。
【手続補正３２】
【補正対象書類名】明細書
【補正対象項目名】００９８
【補正方法】変更
【補正の内容】
【００９８】
２…電磁駆動弁、４…電磁駆動部、６…バルブ、６ａ…バルブステム、８…ケース、１０…上ケース、１２…下ケース、２０…アクチュエータ部、２０ａ…樹脂モールド部、２２…上コア、２２ａ…貫通孔、２４…下コア、２４ａ…貫通孔、３０…アーマチャ、３０ａ…ガイド孔、３０ｂ…回転止シャフト、３２…アーマチャステム、３２ａ…直線変位検出用コア、３４…リフト量センサ、３４ａ…直線変位検出用コイル、３６…アーマチャステムガイド、３８…アッパーリテーナ、３８ａ…スプリング受部、４０…スプリングシート、４２…上スプリング、４４…ロアリテーナ、４４ａ…基部、４４ｂ…収納空間、４６…下スプリング、４８…ラッシュアジャスタ、５０…コネクタ、５２，５４…コイル、６０…プランジャボディ、６０ａ…上部開口部、６０ｂ…貫通孔、６２…プランジャ、６４…圧力室、６６…プランジャスプリング、６８…突起、７０…オイル通路、７０ａ…シート面、７２…リザーバ室、７４…チェックボール、７６…リテーナ、７８…副リザーバ室、８０…ゴム壁、８２…摺動面、１３８…アッパーリテーナ、１３８ａ…基部、１３８ｂ…収納空間、１４４…ロアリテーナ、１４４ａ…基部、１４４ｂ…収納空間、１４８…スクイーズ式ラッシュアジャスタ、１５０…上部基板、１５０ａ…凹部、１５２…下部基板、１５４…スプリング、１５６，１５８…突起部、１５６ａ，１５８ａ…対向面、１６０…ゴム壁、１６２…粘性流体室、１９２…上スプリング、１９６…下スプリング、１９８…ラッシュアジャスタ、２３８…アッパーリテーナ、２４４…ロアリテーナ、２４４ａ…基部、２４４ｂ…収納空間、２４８…スクイーズ式ラッシュアジャスタ、２５０…上部基板、２５０ａ…凹部、２５２…下部基板、２５４…金属製ベローズ、２５６…流体室、２５６ａ…粘性液体、２５６ｂ…気体、２５８，２６０…突起部、２５８ａ，２６０ａ…対向面、３４８…機械式ラッシュアジャスタ、３５０…上部基板、３５０ａ…壁部、３５０ｂ…右ネジ状のヘリカルスプライン、３５０ｃ…上面、３５０ｄ…係止孔、３５０ｅ…対向面、３５２…下部基板、３５２ａ…壁部、３５２ｂ…右ネジ状のヘリカルスプライン、３５２ｃ…下面、３５２ｄ…係止孔、３５２ｅ…対向面、３５４…捻りコイルスプリング、３５４ａ…上端部、３５４ｂ…下端部、Ｈ…シリンダヘッド。